(57)【要約】【課題】  ワイヤー入りの補整機能を高めたブラジャーにおいて、長時間にわたりバストに着用しても肌に痛みを覚えることなく、かつ、バストとのフィッティング性に優れたブラジャーを提供する。【解決手段】  ブラジャー１に内蔵した乳房形状を模した軟質ウレタンフォーム３ａからなるカップ２において、軟質ウレタンフォーム３ａを複数層からなる軟質ウレタンフォーム層３ｂとし、乳房下部周辺の立ち上がり湾曲面に対面するカップ２の下端部２ｄの複数層からなる軟質ウレタンフォーム層３ｂの層間３ｆに乳房下部周辺の立ち上がり湾曲面に倣って湾曲状としたワイヤー５を内蔵した鞘状紐帯６からなる紐帯ループ４を挿着して有するワイヤー入りの軟質ウレタンフォーム３ａからなるカップ２を有するブラジャー１。【選択図】      図１
2006124893.tif 000002
【特許請求の範囲】
【請求項１】
ブラジャーに内蔵した乳房形状を模した柔軟な保形性の素材からなるカップにおいて、該柔軟な保形性の素材を複数層からなる素材層とし、乳房下部周辺の立ち上がり湾曲面に対面するカップの下端部の複数層からなる素材層の層間に該乳房下部周辺の立ち上がり湾曲面に倣って湾曲状としたワイヤーを内蔵した鞘状紐帯からなる紐帯ループを挿着して有することを特徴とするワイヤー入りの柔軟な保形性の素材からなるカップを有するブラジャー。
【請求項２】
請求項１に記載のワイヤー入りの柔軟な保形性の素材からなるカップを有するブラジャーにおいて、該カップの乳房脇側部分の柔軟な保形性の素材の表面に非ストレッチ性のパネルを積層して乳房をバスト中央かつ上方に寄せる補整機能を付与したことを特徴とするワイヤー入りの柔軟な保形性の素材からなるカップを有するブラジャー。
【請求項３】
柔軟な保形性の素材からなるカップはブラジャーの左右のカップがそれぞれ独立に形成されていることを特徴とする請求項１又は２に記載のワイヤー入りの柔軟な保形性の素材からなるカップを有するブラジャー。
【請求項４】
柔軟な保形性の素材からなるカップはブラジャーの左右のカップの中間部がカップと一体の平面部からなる柔軟な保形性の素材で連続状に形成されていることを特徴とする請求項１又は２に記載のワイヤー入りの柔軟な保形性の素材からなるカップを有するブラジャー。
【請求項５】
柔軟な保形性の素材は軟質ウレタンフォームからなることを特徴とする請求項１〜４のいずれか１項に記載のワイヤー入りの柔軟な保形性の素材からなるカップを有するブラジャー。
【請求項６】
柔軟な保形性の素材は不織布繊維層からなることを特徴とする請求項１〜４のいずれか１項に記載のワイヤー入りの柔軟な保形性の素材からなるカップを有するブラジャー。
【発明の詳細な説明】
【技術分野】
【０００１】
この発明は女性がバストに着用するブラジャーに関し、特に乳房を保持してその形状を維持し、さらに乳房形状を補整する機能を有するワイヤー入りのブラジャーに関する。
【背景技術】
【０００２】
従来のブラジャーは、女性がバストに着用して立ち居振る舞い時に乳房が揺れ動くことを抑止する役割をし、さらには着用した女性のバストの輪郭あるいは形状を美しく見せるために乳房形状を補整する働きをし、バストの形状を美しく見せる効果を有するものである（例えば、特許文献１参照。）。
【０００３】
そこで現在使用されているブラジャーは、乳房のカップ状凸部の立ち上がり部とその周縁のアンダーバスト形状に沿うように、平面状の布地を立体的に裁断し、立体に縫製してカップ形状を有するブラジャーにしたり、あるいは、ブラジャーの表裏の生地をシームレスの編み地から形成し、このシームレス編み地からなる生地の中にカップ形状に成形した軟質ウレタンフォーム製のカップを内蔵させて、カップ入りのブラジャーとしている。ところで、このブラジャーは、内蔵している軟質ウレタンフォーム製のカップの周縁の乳房の立ち上がり部の下縁外周部のアンダーバスト部分の形状に倣って湾曲状に形状化したワイヤーをブラジャーの当該位置の裏面側に装着することで、乳房のカップ形状部をアンダーバスト周縁から支えて保持することでバスト形状を維持するようにしている。
【０００４】
ところで、一般に販売されている全てのブラジャーの約２割のブラジャーは、上記のシームレスタイプのブラジャーであり、さらにこのシームレスブラジャーの約８割が上記のワイヤー入りのブラジャーである。
【０００５】
さて、このワイヤー入りのブラジャーにおいてカップ部周縁に上記の湾曲状に形状化されたワイヤーを装着する方法は、ループと称する鞘状に形成した紐帯の鞘内に上記の湾曲状に形状化したワイヤーを挿通し、このワイヤーを鞘内に挿通して有する紐帯ループをカップの立ち上がり部の外周部の下部周縁のアンダーバストと接するブラジャーの裏面側に外部から縫製して装着している。このため、ブラジャーを身体に直接に装着するとき、ワイヤーを有する紐帯ループは直接にアンダーバストの肌と擦れることとなる。そこでこのようにブラジャーを身体に長時間にわたって装着していると、硬いワイヤーの凸部が紐帯ループの生地を通して直接に肌に当たりが感じられるようになり、終には肌に痛みを覚えるようになる問題を有していた。
【０００６】
さらに、従来のカップ入りの補整機能を有するブラジャーは、それぞれ左右の乳房用として左右別々のカップをブラジャーの左右のカップ部の生地内に挿入して形成されている。このため、ブラジャーには縫製箇所による継目が僅か突出して存在し、この縫製箇所の僅かな突出部が肌に長時間触れていると、その箇所に痛みを覚える問題も有していた。
【０００７】
【特許文献１】特開２０００−３１４００８号公報（図３）
【発明の開示】
【発明が解決しようとする課題】
【０００８】
そこで、本発明が解決しようとする課題は、ワイヤーを入れて補整機能を高めたブラジャーにおいて、長時間にわたりバストに着用しても肌に対して痛みを感じさせることなく、かつ、バストとのフィッティング性に優れたブラジャーを提供することである。
【課題を解決するための手段】
【０００９】
上記の課題を解決するための本発明の手段は、請求項１の発明では、ブラジャーに内蔵した乳房形状を模した柔軟な保形性の素材からなるカップにおいて、この柔軟な保形性の素材を複数層からなる素材層とし、乳房下部周辺の立ち上がり湾曲面に対面するカップの下端部の複数層からなる素材層の層間にこの乳房下部周辺の立ち上がり湾曲面に倣って湾曲状としたワイヤーを内蔵した鞘状紐帯からなる紐帯ループを挿着して有することを特徴とするワイヤー入りの柔軟な保形性の素材からなるカップを有するブラジャーである。
【００１０】
請求項２の発明では、請求項１の手段のワイヤー入りの柔軟な保形性の素材からなるカップを有するブラジャーにおいて、このカップの乳房脇側部分の柔軟な保形性の素材の表面に非ストレッチ性のパネルを積層して乳房をバスト中央かつ上方に寄せる補整機能を付与したことを特徴とするワイヤー入りの柔軟な保形性の素材からなるカップを有するブラジャーである。
【００１１】
請求項３の発明では、柔軟な保形性の素材からなるカップはブラジャーの左右のカップ部がそれぞれ独立に形成されていることを特徴とする請求項１又は２の手段のワイヤー入りの柔軟な保形性の素材からなるカップを有するブラジャーである。
【００１２】
請求項４の発明では、柔軟な保形性の素材からなるカップはブラジャーの左右のカップの中間部がカップと一体の平面部からなる柔軟な保形性の素材で連続状に形成されていることを特徴とする請求項１又は２の手段のワイヤー入りの柔軟な保形性の素材からなるカップを有するブラジャーである。
【００１３】
請求項５の発明では、柔軟な保形性の素材は軟質ウレタンフォームからなることを特徴とする請求項１〜４のいずれか１項の手段のワイヤー入りの柔軟な保形性の素材からなるカップを有するブラジャーである。
【００１４】
請求項６の発明では、柔軟な保形性の素材は不織布繊維層からなることを特徴とする請求項１〜４のいずれか１項の手段のワイヤー入りの柔軟な保形性の素材からなるカップを有するブラジャーである。
【発明の効果】
【００１５】
上記の手段における本発明の効果を説明すると、従来のブラジャーでは軟質ウレタンフォーム製や布地製のカップの立ち上がり部の外縁のアンダーバスト部分の胸に沿う側のブラジャーの裏面にワイヤー入り紐帯ループが直接に縫製して取り付けられている。したがって、このワイヤー入り紐帯ループの硬いワイヤーの凸状の当たりがブラジャー装着時に装着者の胸面に感じられる。しかし、本願の請求項１の発明では、ブラジャーに内蔵した乳房形状を模した複数層の柔軟な保形性の素材からなるカップは、乳房下部周辺立ち上がり部に対面する複数層の柔軟な保形性の素材層の層間に、乳房下部周辺の立ち上がり湾曲面に倣った湾曲状のワイヤーを内蔵した鞘状の紐帯ループを挿着して有することで、この紐帯ループがカップの柔軟な保形性の素材層で被覆された状態となっているので、本発明のブラジャーを身体に装着してもワイヤー入り紐帯ループの硬い凸状の当たりを身体に感じることがなく、長時間にわたる着用でも痛みや違和感が無い。
【００１６】
さらに、従来のブラジャーでは、軟質ウレタンフォームのみからなるカップを有する場合では、軟質ウレタンフォームのストレッチ性により乳房の膨らみが身体の脇から外側に逃げ、バストの形状をだらしなくするが、本発明の請求項２の発明では、カップの乳房脇側部分の柔軟な保形性の素材の表面に非ストレッチ性のパネルを積層して一体化したことにより、柔軟な保形性の素材からなるカップの脇側の部分のストレッチ性が抑えられる結果、乳房の膨らみが脇側から逃げることがなくなり、その結果、本発明のブラジャーは乳房をバスト中央かつ上方に寄せる補整機能が一層に高められている。
【００１７】
さらに、請求項３の発明では、上記の請求項１または２のワイヤー入りの柔軟な保形性の素材のカップを有するブラジャーおいて、柔軟な保形性の素材からなるカップは、ブラジャーの左右のカップ部分がそれぞれ独立に形成されているので、左右の乳房間のバスト間隔に合わせたカップ間隔を有するブラジャーを容易に形成することができる。
【００１８】
さらに、請求項４の発明では、上記の請求項１または２のワイヤー入りの柔軟な保形性の素材のカップを有するブラジャーおいて、請求項３の発明と異なり、柔軟な保形性の素材からなるカップはブラジャーの左右のカップ部分がその中間部でカップと一体に平面部からなる柔軟な保形性の素材で形成されるので、この一体ものからなるカップを装入したブラジャーは、ブラジャーの左右のカップ部分とそれらの中間部に継目を必要としない。このため本発明のブラジャーは身体の脇側のサイドボーンは有するものの、左右のバスト間には縫い目により硬くなった継目はないので、着用者のバスト間の胸の肌への縫い目からなる硬い継目による当たりがなく、このため本発明のブラジャーを長時間にわたり着用しても違和感や痛みを覚えることもない。
【００１９】
さらに請求項５の発明では、上記の柔軟な保形性の素材として軟質ウレタンフォームを用いて成形した素材であるので適宜のストレッチ性があり、本発明のブラジャーは装着感に優れている。
【００２０】
さらに請求項６の発明では、上記の柔軟な保形性の素材として不織布繊維層を用いて成形した素材であるので、適宜のストレッチ性のある素材とするとき、本発明のブラジャーは装着感に優れている。以上二記載したように本願の発明は、従来にない優れた効果を奏するものである。
【発明を実施するための最良の形態】
【００２１】
本発明を実施するための最良の形態を、順次に図面を参照して説明する。先ず、請求項１の発明について、図１を参照して説明する。この場合、ブラジャー１に内蔵した乳房形状を模した柔軟な保形性の素材として軟質ウレタンフォーム３を使用する例とする。この軟質ウレタンフォーム３からなるカップ２において、本発明のブラジャー１は、このカップ２の軟質ウレタンフォーム３を複数層からなる軟質ウレタンフォーム層３ｂとして形成している。この複数層からなる軟質ウレタンフォーム層３ｂのカップ２において、乳房下部周辺の立ち上がり湾曲面に対面するカップ２の凹部２ｃの下端部２ｄの軟質ウレタンフォーム層３ｂの層間３ｆに、図３に示す、乳房下部周辺の立ち上がり湾曲面に倣って湾曲状としたワイヤー５を内蔵した鞘状紐帯６からなる紐帯ループ４を挿着している。ところで、この複数層の軟質ウレタンフォーム層３ｂからなるカップ２では、乳房を受け入れるカップ２の下端部２ｄの周囲に凹部２ｃから外側に曲折し、乳房の立ち上がり部の周縁外周の胸部面いわゆるアンダーバストと称される部分に沿う平面状の受け面２ｅを形成して有する。
【００２２】
ところで、従来のブラジャー１では、図２の（ａ）に示すように、カップ２の下端部２ｄの周囲から外側に曲折して形成されている平面状の受け面２ｅのアンダーバストの箇所をブラジャー１の生地で被覆して縫製する。次いで、その縫製したブラジャー１の肌側の生地であるブラジャー１の裏生地１ａの外面上に、上記の湾曲状に形状化したワイヤー５を内蔵した紐帯ループ４が縫製により直接に取り付けられている。なお、１ｂはブラジャー１の表生地である。このように、平面状の受け面２ｅの箇所のブラジャー１の裏生地１ａの外面上へ直接に紐帯ループ４を取り付けたことにより、乳房周辺のアンダーバスト部分の形状が維持され、さらにこの維持により乳房形状を保持され、かつ、乳房形状を補整する。しかし、この場合、取付け縫製部分がブラジャー１の肌側面に突出した状態となっている。このため、このような従来のブラジャー１を長時間にわたり身体に装着していると、ワイヤー５の突出部分、特にワイヤー５の先端部、が直接に身体の肌に感じられ、違和感や痛みを覚えることがあった。
【００２３】
さらに、図２の（ｂ）に示すように、ワイヤー５を内蔵した紐帯ループ４は、カップ２の下端部２ｄの周囲から外側に曲折して形成されている平面状の受け面２ｅの箇所に挿入されている。このカップ２のアンダーバストの部分の平面状の受け面２ｅの箇所に紐帯ループ４が挿入されているものでは、肌にワイヤー５が当接することが上記に比して抑えられ、違和感や痛みは上記よりも多少和らげられるが、なお当たりをアンダーバストの肌に感じる。さらに、この図２の（ｂ）の左右独立した左のカップ２ａおよび右のカップ２ｂからなるものであるとき、図４に示す一体タイプのカップ２ｇのように、平面状受け面２ｅが下方まで大きく延びていないので、左のカップ２ａおよび右のカップ２ｂをブラジャー１に挿着し、それらの左右のカップ２ａ、２ｂの周囲をブラジャー１の生地上から縫製して係止する。しかし、その際にアンダーバスト部分の平面状の受け面２ｅの部分はワイヤー５を内在しているので、その部分の縫製が困難となる問題がある。
【００２４】
ところで、上記の請求項１の本発明の実施の形態では、ワイヤー５を内蔵する紐帯ループ４の取り付け箇所を、図２に示す従来のブラジャーのアンダーバストの胸部面に沿う平面状の受け面２ｅの部分ではなく、図１に示すカップ２の下端部２ｄである立ち上がり部自体の凹部２ｃの部分の軟質ウレタンフォーム層３ｂを形成する軟質ウレタンフォーム内層３ｃと軟質ウレタンフォーム外層３ｄの層間３ｆに曲状化したワイヤー５を内蔵した紐帯ループ４を挿着して取り付けるものである。この場合、紐帯ループ４にはその鞘状紐帯６の鞘の中心部にワイヤー５が存在することとなるので、紐帯ループ４の下端部にはワイヤー５は存在しない鞘状紐帯６のみからなる部分が存在する。ところで、図１に示すように、このワイヤー５の存在しない紐帯ループ４の下端の部分はワイヤー５の分だけ厚みが薄いので、この部分がカップ２の下端部２ｄの外周のアンダーバストの胸部面に沿った平面状の受け面２ｅの部分に曲折してはみ出して存在しても、その部分の厚みを増すことがないのでかまわない。
【００２５】
このようにカップ２の下端部２ｄの外周のアンダーバストの胸部面に沿った平面状の受け面２ｅには、従来のブラジャーのような、形状を規制するワイヤー類は何も取り付けていないにもかかわらず、本発明のブラジャー１では、曲状化したワイヤー５を内蔵した紐帯ループ４はその形状維持力は十分に高く、したがって、図１に示すように、カップ２の下端部２ｄに紐帯ループ４が存在すれば、カップ２自体の形状は乳房の重みで崩れることなく維持できる。この結果、乳房形状は保持され、さらに乳房形状が補整され、かつ、紐帯ループ４は軟質ウレタンフォーム層３ａの層間３ｆに挿着されているので乳房に違和感や痛みを覚えることがない。さらに、カップ２の紐帯ループ４を有する部分のウレタン層３ａの内側面に適宜に軟質ウレタンフォーム内層３ｂを二重にすることで、さらに乳房に違和感や痛みを与えなくすることができる。
【００２６】
請求項２の発明の実施の形態について説明する。この場合も柔軟な保形性の素材３として軟質ウレタンフォーム３ａを使用する例とする。上記の請求項１の発明の実施の形態のワイヤー５入りの軟質ウレタンフォーム３ａからなるカップ２を有するブラジャー１において、さらに、図４に示すように、カップ２の乳房の脇側部分に対応する軟質ウレタンフォーム３ａの脇側３ｇの表面上に非ストレッチ性のパネル７を積層して一体化している。もちろん、このパネル７は軟質ウレタンフォーム３ａと同様の柔軟な材料からなるものであるが、このパネル７は非伸縮性のものとし、その厚さは可能な限り薄いものとし、カップ２の脇側３ｇの厚みを厚くすることのないものとする。例えば、このパネル７の素材としては、木綿や麻など天然繊維と非伸縮性の合成繊維等から形成した非伸縮性の繊維の糸から織られた布地とする。
【００２７】
もちろん、パネル７は軟質ウレタンフォーム３ａからなるカップ２の柔軟性を妨げないものであれば、上記のような布地でなくとも薄い一体のシートからなるものであってもよい。カップ２のストレッチ性の軟質ウレタンフォーム３ａの乳房の脇側３ｇの部分にこの非伸縮性の布地又はシートを糊づけすることで、軟質ウレタンフォーム３ａの乳房の脇側３ｇの部分のストレッチ性を非ストレッチ性すなわち非伸縮性の布地又はシートで抑制することで伸びをなくしたものである。このようにパネル７で部分的に伸びなくしたカップ２を内蔵したブラジャー１とすることで、カップ２の乳房の脇側は非ストレッチ性となり、乳房が脇側にずれ動くことが抑えられる。この結果、乳房をバスト中央の上方に寄せる補整機能がブラジャー１に一層に高まることとなる。
【００２８】
請求項３の発明の実施の形態について説明する。この場合も柔軟な保形性の素材３として軟質ウレタンフォーム３ａを使用する例とする。上記の請求項１又は２におけるブラジャー１において、ブラジャー１に挿入されている軟質ウレタンフォーム３ａからなるカップ２は、ブラジャー１の左のカップ２ａと右のカップ２ｂがそれぞれ独立に形成されているものである。このように左のカップ２ａと右のカップ２ｂがそれぞれ独立しているので、カップ２を内蔵するブラジャー１の生地は、これらの左のカップ２ａと右のカップ２ｂがブラジャー内部で移動しないようにするため、これらの左のカップ２ａと右のカップ２ｂの周囲を縫製することで固定している。
【００２９】
このように、それぞれ独立した左のカップ２ａと右のカップ２ｂを有するブラジャー１とすることで、左右の乳房間の間隔に合わせた種々の大きさのブラジャー１を製造することが容易にできる。さらに、この左右独立の左のカップ２ａと右のカップ２ｂを請求項２の発明におけるブラジャー１に適用した場合では、上記の構成のうえに、さらに左のカップ２ａと右のカップ２ｂの乳房の脇側部分に対応する軟質ウレタンフォーム３ａの脇側３ｇの表面上に非ストレッチ性のパネル７をそれぞれ積層し、これらの左のカップ２ａと右のカップ２ｂとパネル７をそれぞれ一体化することで、カップ２の乳房の脇側は非ストレッチ性となり、乳房が脇側にずれ動くことが抑えられている。この結果、乳房をバスト中央の上方に寄せる補整機能がブラジャー１に一層に高まったものとなっている。
【００３０】
請求項４の発明の実施の形態について説明する。この場合も柔軟な保形性の素材３として軟質ウレタンフォーム３ａを使用する例とする。上記の請求項１又は２におけるブラジャー１において、この形態のブラジャー１は、上記の請求項３の発明のブラジャー１と異なり、軟質ウレタンフォーム３ａからなるカップ２はブラジャー１の左右のカップ２ａ、２ｂがそれぞれ独立しているものでなく、左のカップ２ａと右のカップ２ｂの中間部を左のカップ２ａと右のカップ２ｂとそれぞれ一体になっている平面部からなる軟質ウレタンフォーム３ｅで連続して形成されており、図４に示す一体タイプのカップ２ｇである。また、図４に示すように、アンダーバストの部分である平面状の受け面２ｅを幅広とし、図５に示すブラジャー１の下端縁部１１まで延在しているものとなっている。
【００３１】
したがって、この形態からなるブラジャー１では、上記の請求項３の実施の形態のものと異なり、左のカップ２ａと右のカップ２ｂの間隔が一定で不変であるので、左のカップ２ａと右のカップ２ｂが左右に動くことなく、さらに左のカップ２ａと右のカップ２ｂが上下に移動することもない。そこで、上記の実施の形態のように左のカップ２ａと右のカップ２ｂがブラジャー内部で左右にあるいは上下に移動しないようにするために、この形態のブラジャー１では左のカップ２ａと右のカップ２ｂの周囲を縫製などにより固定する必要はない。
【００３２】
このためこの請求項４の実施の形態の一体タイプのカップ２ｇを内蔵するブラジャー１は、図５に示すように、縫製のミシン掛けにより硬くなった継目が左のカップ２ａと右のカップ２ｂの間に設けられることがなくノンシームで連続しているので、着用者の乳房間の胸の肌への硬い当たりが全くない。このため、本発明のブラジャー１を長時間にわたり着用しても肌に違和感や痛みを覚えることもなく、さらにブラジャー１としての外観のファッション性に優れたデザインとすることができる利点を有する。なお、図５において、ブラジャー１の脇側の縦の縫い目はサイドボーン８、ブラジャー１を肩から吊るす紐はストラップ９、ブラジャー１を背面で係止する器具は係止具１０である。
【００３３】
さらに上記の請求項３の実施の形態と同様に、請求項２の発明におけるブラジャー１に適用した場合では、上記の構成のうえに、さらに左のカップ２ａと右のカップ２ｂの乳房の脇側の部分に対応する軟質ウレタンフォーム３ａの脇側３ｇの表面上に非ストレッチ性のパネル７をそれぞれ積層してこれらの左のカップ２ａと右のカップ２ｂとそれぞれ一体化することで、カップ２の乳房の脇側は非ストレッチ性となり、乳房が脇側にずれ動くことが抑えられている。この結果、乳房をバスト中央の上方に寄せる補整機能がブラジャー１に一層に高まったものとなっている。
【００３４】
この発明は、カップ２の素材をストレッチ性のある軟質ウレタンフォーム３ａとして説明いるものであるが、この軟質ウレタンフォーム３ａのカップ２に代えて不織布繊維層３ｈから成形したカップ２とすることも可能である。この不織布繊維層３ｈからカップ２を形成するときは、軟質ウレタンフォーム層３ｂのように格別に複数層とするまでもなく、容易に複数層に分割できる。したがって、この不織布繊維層３ｈがストレッチ性を有するものであるときは、不織布繊維層３ｈからなるカップ２にも軟質ウレタンフォーム３ａと同様に本発明が適用でき、軟質ウレタンフォーム３ａにおけるものと同様の作用効果を有するものとなる。
【図面の簡単な説明】
【００３５】
【図１】本発明のブラジャーのカップの一部断面図である。
【図２】従来のブラジャーおよびカップの一部断面図で、（ａ）はカップの平面状の受け面の部分のブラジャーの生地の上に紐帯ループを縫製した一部断面図で、（ｂ）はカップの平面状の受け面内に紐帯ループを挿入した一部断面図である。
【図３】紐帯ループの説明図である。
【図４】一体タイプのカップの平面図である。
【図５】一体タイプのカップを内蔵する本発明のブラジャーである。
【符号の説明】
【００３６】
１  ブラジャー
１ａ  ブラジャーの裏生地
１ｂ  ブラジャーの表生地
２  カップ
２ａ  左のカップ
２ｂ  右のカップ
２ｃ  凹所
２ｄ  下端部
２ｅ  平面状の受け面
２ｆ  平面部
２ｇ  一体タイプのカップ
３  柔軟な保形性の素材
３ａ  軟質ウレタンフォーム
３ｂ  軟質ウレタンフォーム層
３ｃ  軟質ウレタンフォーム内層
３ｄ  軟質ウレタンフォーム外層
３ｅ  平面部からなる軟質ウレタンフォーム
３ｆ  層間
３ｇ  脇側
３ｈ  不織布繊維層
４  紐帯ループ
５  ワイヤー
６  鞘状紐帯
７  パネル
８  サイドボーン
９  ストラップ
１０  係止具
１１  下端縁部
【図１】
2006124893.tif 000003
【図２】
2006124893.tif 000004
【図３】
2006124893.tif 000005
【図４】
2006124893.tif 000006
【図５】
2006124893.tif 000007